(57)【要約】【課題】データ転送方式選択に係るユーザの負担を軽減することのできる無線通信システムの受信装置を提供する。【解決手段】受信装置にて、符号化されたデータ又は復号化されたデータを、指向性を有する無線通信によって特定の受信範囲内に存在する送信装置から受信する受信手段を備える。さらに、前記受信手段の受信可能範囲内に存在する前記送信装置に、受信可能であるデータに関する情報を送信するデータ種別情報送信手段を備える。さらに、前記受信可能であるデータに関する情報が示した方式で、符号化されたデータ又は復号化されたデータの一方を、前記受信手段に受信させる通信制御手段を備える。【選択図】図５
2011066923.tif 000002
【特許請求の範囲】
【請求項１】
符号化されたデータ又は復号化されたデータを、指向性を有する無線通信によって特定の受信範囲内に存在する送信装置から受信する受信手段と、
前記受信手段の受信可能範囲内に存在する前記送信装置に、受信可能であるデータに関する情報を送信するデータ種別情報送信手段と、
前記受信可能であるデータに関する情報が示した方式で、符号化されたデータ又は復号化されたデータの一方を、前記受信手段に受信させる通信制御手段と、
を備えることを特徴とする受信装置。
【請求項２】
前記受信手段は、受信電力の強度を測定して、アンテナの指向性を制御することを特徴とする請求項１に記載の受信装置。
【請求項３】
画像を表示する表示部を更に備えたことを特徴とする請求項１に記載の受信装置。
【請求項４】
受信手段が受信した符号化されたデータを格納するデータ格納部を更に備えたことを特徴とする請求項１に記載の受信装置。
【発明の詳細な説明】
【技術分野】
【０００１】
本発明は、指向性を有する無線通信によってデータを受信する受信装置に関するものである。
【背景技術】
【０００２】
６０ＧＨｚ帯域のミリ波を使用する無線通信技術はＩＥＥＥ８０２．１５委員会委員会において標準化作業が進められており、無線ＬＡＮとは異なり、１０ｍ以内の無線ネットワーク、ＷＰＡＮ（Wireless  Personal  Area  Network）を適用範囲としている。
【０００３】
この無線通信技術は、従来の無線ＬＡＮやBluetooth（登録商標）に対し、ギガビットのオーダの伝送レートを実現する無線通信が可能なため、既存の有線通信において高速通信可能なＤＶＩ（Digital  Video  Interactive）やＨＤＭＩ（High  Definition  Multimedia  Interface）と言った映像伝送ケーブルのワイヤレス化技術として有望であると考えられる。一方では、すでに無線化が実現されているＬＡＮやＵＳＢのさらなる高速無線通信手段としても有望であると考えられる。
【０００４】
例えば、特許文献１では、複数の無線通信部と、無線通信部に関する属性情報を格納する無線通信部情報格納部と、無線通信部を特定するためのＩＤを無線通信部から取得し、ＩＤに基づいて対応する無線通信部の属性情報を無線通信部情報格納部から取得する無線通信部検出部と、対応する無線通信部の属性情報に含まれる対応上位プロトコルの情報に基づいてデータ通信経路を決定し、接続リンクを確立する通信インターフェイス制御部とを具備する無線通信端末が開示されている。この無線通信端末では、複数の無線通信部のうち使用すべき無線通信部を、対応上位プロトコル、使用周波数帯域、スループット、消費電力の情報を元に、ユーザに意識させることなく適切なものを自動的に選択することを可能としている。
【先行技術文献】
【特許文献】
【０００５】
【特許文献１】特開２００６−３３２８３５号公報
【発明の概要】
【発明が解決しようとする課題】
【０００６】
ところで、映像伝送ケーブルのワイヤレス化技術を利用したテレビジョンやモニターと、動画像を撮像したビデオカメラのような携帯ＡＶ機器との間で動画像伝送を行う場合や、携帯ＡＶ機器が撮像した画像データを、編集するためにパーソナルコンピュータに画像データを転送する場合がある。動画像データが端末に蓄積される場合、ＭＰＥＧ−２やＨ．２６４のような動画圧縮技術により、データは圧縮された後、保存されているのが一般的である。また伝送する際は、圧縮された後、保存されている動画像データを伝送してテレビジョン上で再生する方法と、圧縮されたコンテンツを携帯ＡＶ機器上で伸張したのち伝送し、テレビジョン上で表示する、２つの方法がある。
【０００７】
ここで、有線接続における圧縮されたデータの伝送は、例えば、ＬＡＮケーブルやＵＳＢケーブル等を使用し、例えばビデオカメラとテレビジョンとの間でファイル転送の形で動画像データの伝送を実現して、動画像が再生されている。この時、送信側はメガビットのオーダの伝送レートで受信側へ伝送できる反面、受信側が圧縮動画データを伸張しなければ再生できない。
【０００８】
一方、有線接続における非圧縮のデータの伝送は、例えばＨＤＭＩケーブル等を使用し、ビデオカメラとテレビジョンとの間を接続して伸張後の動画像データを伝送して、動画像を表示する。この時、受信側は映像をそのまま表示できるものの、送信側は圧縮動画データを伸張した後ギガビットのオーダの伝送レートが必要となる。このように有線接続の場合、ユーザは使用するケーブルを使い分けることにより、圧縮された動画像データ伝送と非圧縮な動画像データ伝送とを使い分ける。
【０００９】
しかしながら、動画像データ転送が無線化されると、圧縮された動画像データ伝送と非圧縮の動画像データ伝送とのいずれを使用するかは、ユーザが使用する無線通信規格によるか、もしくは、ユーザ自身が選択することになる。従来は異なる複数の無線通信方式を搭載し、且つユーザがいずれの無線通信方式を使用するかを選択する必要があるため、システムが高価になり、且つ無線通信方式の設定も煩雑である。
【００１０】
本発明は、かかる事情に鑑みてなされたものであり、その目的は、データ転送方式選択に係るユーザの負担を軽減することのできる無線通信システムの受信装置を提供することにある。
【課題を解決するための手段】
【００１１】
本発明の受信装置は、符号化されたデータ又は復号化されたデータを、指向性を有する無線通信によって特定の受信範囲内に存在する送信装置から受信する受信手段を備える。さらに、前記受信手段の受信可能範囲内に存在する前記送信装置に、受信可能であるデータに関する情報を送信するデータ種別情報送信手段を備える。さらに、前記受信可能であるデータに関する情報が示した方式で、符号化されたデータ又は復号化されたデータの一方を、前記受信手段に受信させる通信制御手段を備える。
【発明の効果】
【００１２】
本発明の受信装置を含む無線通信システムによれば、データ転送方式選択に係るユーザの負担を軽減することが可能となる。
【図面の簡単な説明】
【００１３】
【図１】実施形態に係る無線通信装置から表示装置へ非圧縮の動画像データを伝送する例を示す図である。
【図２】実施形態に係る無線通信装置から情報端末装置へ圧縮された動画像データを伝送する例を示す図である。
【図３】実施形態に係る無線通信装置から情報端末装置へ圧縮された動画像データを伝送する例を示す図である。
【図４】実施形態に係る無線通信装置の構成を示すブロック図である。
【図５】実施形態に係る表示装置の構成を示すブロック図である。
【図６】実施形態に係る情報端末装置の構成を示すブロック図である。
【図７】実施形態に係る動画像データを伝送する手順を示すフロー図である。
【発明を実施するための形態】
【００１４】
以下、図面を参照しつつ本発明に係る好適な実施形態について詳細に説明する。
【００１５】
一実施形態として、６０ＧＨｚ帯域のミリ波を利用する無線通信方式を利用した無線通信装置及び無線通信システムを例にあげて説明する。ミリ波の特徴として、高い伝送レートを見込めると共に、指向性が極めて強い点が挙げられる。本実施形態では、図１のように動画像を撮像したビデオカメラ等の送信側の無線通信装置１と、テレビジョン等の受信側の表示装置１００との間における動画像データの伝送を例にあげる。あるいは、図２及び３のように、動画像を撮像したビデオカメラ等の送信側の無線通信装置１から、動画像データを編集するために、パーソナルコンピュータ等の受信側の情報端末装置２００に動画像データを転送する場合を例にあげる。
【００１６】
図４は、実施形態に係る無線通信装置１の構成を示すブロック図である。無線通信装置１は、無線通信機能を有するテレビジョンやモニタ等の表示装置１００や、パーソナルコンピュータ等の情報端末装置２００と無線通信を行う。無線通信装置１は、具体的には、動画像を撮像するビデオカメラのような携帯ＡＶ機器である。図４に示すように、無線通信装置１は、撮像部２、エンコーダ３、データ格納部４、バス５、有線データ通信部６、制御部７、デコーダ８、有線動画像通信部９、無線通信部１０、ＡＮＴ／ＰＷＲ制御部１１、及びアンテナ部１２を備えている。
【００１７】
撮像部２は、動画像を撮像するためのものである。撮像部２は、具体的には、レンズやＣＣＤ（Charged  Coupled  Device）等により構成される。エンコーダ（Encoder）３は、制御部７の制御の下で撮像部２が撮像した動画像データを圧縮し、圧縮した動画像データを逐次データ格納部４に格納するためのものである。データ格納部４は、無線通信装置１本体を動作させるために必要なプログラムや撮像した動画像データ等、種々のデータを格納するためのものである。データ格納部４は、具体的には、Ｆｌａｓｈ  ＲＯＭや、ＨＤＤ等である。
【００１８】
バス５は、制御部７の制御により、エンコーダ３、デコーダ８、データ格納部４、無線通信部１０間のデータ通信を行うためのバスである。有線データ通信部６であり、無線通信装置１がデータ格納部４に格納している動画像データを、外部機器と通信し伝送するために使用される。有線データ通信部６は、具体的には、ＵＳＢやＬＡＮ等である。制御部７は、無線通信装置１の各部の制御を行うものである。制御部７は、具体的には、ＣＰＵにより構成される。
【００１９】
デコーダ（Decoder）８は、制御部７の制御の下でデータ格納部４へ格納された動画像データを伸張し、ＲＧＢ／ＹＣｂＣｒ４：４：４のディープカラーや、８／１０／１２ビット４：２：２（ＩＴＵ．６０１とＩＴＵ．６５６）のようなビデオ信号を伝送するバスや、ＨＤＭＩに準拠したデジタル信号を伝送するバスを経由して、無線通信部１０に非圧縮な動画像データを伝送するためのものである。
【００２０】
有線動画像通信部９は、無線通信装置１がデータ格納部４に格納している動画像データをデコーダ８で伸張し、有線接続で非圧縮な動画像信号を伝送する際に使用される。有線動画像通信部９は、具体的には、ＨＤＭＩ等である。
【００２１】
無線通信部１０は、無線通信装置１の無線通信を制御するためのものである。無線通信部１０は、具体的にはミリ波やＵＷＢ等を使用する無線モジュールである。無線通信部１０は、通信時に、送信電力の制御や、受信電力の強度を測定し、アンテナ部１２の指向性を制御するＡＮＴ／ＰＷＲ制御部１１を有する。
【００２２】
アンテナ部１２は、無線通信部１内のアンテナ制御部１２の指示により、動画像データの送受信の指向性を変更することが可能である。アンテナ部１２は、具体的には、複数のアンテナで構成され、電気的にそれらを制御することによってビームを形成し、送受信方向に指向性持たせることが可能なスマートアンテナ等である。
【００２３】
図５は、実施形態に係る表示装置１００の構成を示すブロック図である。表示装置１００は、無線通信機能を有し、無線通信装置１と無線通信をすることにより、無線通信装置１のデータ格納部４に保存されている動画像データを再生して、表示する。表示装置１００、具体的には、テレビジョンやモニタ等である。図５に示すように、表示装置１００は、表示部１０１、有線動画像通信部１０２、通信制御部１０３、無線通信部１０４、及びＡＮＴ／ＰＷＲ制御部１０５を備えている。
【００２４】
表示部１０１は、表示装置１００において根幹をなす部分であり、ユーザが所望する動画像等を表示するために使用される。表示部１０１は、具体的には、ＬＣＤ（Liquid  Crystal  Display）やプラズマディスプレイ等である。
【００２５】
有線動画像通信部１０２は、表示装置１００が動画像データを格納している外部機器と接続し、非圧縮な動画像信号を伝送する際に使用される。有線動画像通信部１０２は、具体的には、ＨＤＭＩ等である。通信制御部１０３は、表示装置１００の通信制御を行うものである。
【００２６】
無線通信部１０４は、表示装置１００の無線通信を制御するためのものである。無線通信部１０４は、具体的にはミリ波やＵＷＢ等を使用する無線モジュールである。無線通信部１０４は、通信時に、送信電力の制御や、受信電力の強度を測定し、アンテナの指向性を制御するＡＮＴ／ＰＷＲ制御部１０５を有する。
【００２７】
図６は、実施形態に係る情報端末装置２００の構成を示すブロック図である。情報端末装置２００は、無線通信機能を有し、無線通信装置１と無線通信をすることにより、無線通信装置１のデータ格納部４に保存されている動画像データを再生して、表示する。あるいは、情報端末装置２００は、無線通信装置１から受信した動画像データの編集を行なう。情報端末装置２００は、具体的には、パーソナルコンピュータやＰＤＡ（Personal  Digital  Assistant）等である。図６に示すように、情報端末装置２００は、表示部２０１、入出力部２０２、制御部２０３、データ格納部２０４、有線データ通信部２０５、無線通信部２０６、及びＡＮＴ／ＰＷＲ制御部２０７を備えている。
【００２８】
表示部２０１は、ユーザが所望する動画像等を表示するために使用される。表示部２０１は、具体的には、ＬＣＤやプラズマディスプレイ等である。入出力部２０２は、情報端末装置２００に対して、ユーザが動作を指示するために使用される。入出力部２０２は、具体的にはキーボードやマウス等である。制御部２０３は、情報端末装置２００の制御を行うためのものである。制御部２０３は、具体的にはＣＰＵ等である。
【００２９】
データ格納部２０４は、情報端末装置２００が動作する上で必要なデータや無線通信装置１のデータ格納部４に保存されている動画像データを格納する。データ格納部２０４は、具体的には、ＲＯＭ、ＲＡＭ、ＨＤＤ等である。有線データ通信部２０５は、情報端末装置２００が動画像コンテンツを格納している外部機器と接続し、データ通信する際に使用される。有線データ通信部２０５は、具体的には、ＵＳＢやＬＡＮ等である。
【００３０】
無線通信部２０６は、情報端末装置２００の無線通信を制御するためのものである。無線通信部２０６は、具体的にはミリ波やＵＷＢ等を使用する無線モジュールである。無線通信部２０６は、通信時に、送信電力の制御や、受信電力の強度を測定し、アンテナの指向性を制御するＡＮＴ／ＰＷＲ制御部２０７を有する。
【００３１】
以下、各装置の動作について説明する。無線通信装置１は、撮像部２によって撮影された動画像データを、エンコーダ３を通して圧縮した後、そのコンテンツの動画像データをデータ格納部４へ格納する。従来、ユーザがこの無線通信装置１のデータ格納部４に保存されている動画像コンテンツをテレビジョン等の等の表示装置１００で再生する際は、無線通信装置１の有線データ通信部６のコネクタと、表示装置１００の有線動画像通信部１０２のコネクタとをケーブル接続することによって、無線通信装置１のデコーダ８が伸張した動画像コンテンツを伝送することにより実現していた。
【００３２】
一方、ユーザがこの無線通信装置１に保存されている動画像コンテンツをパーソナルコンピュータ等の情報端末装置２００で再生する際は、無線通信装置１の有線データ通信部６と情報端末装置２００の有線データ通信部２０５をケーブル接続することによって、無線通信装置１のデータ格納部４に格納されている動画像コンテンツを必要に応じて情報端末装置２００中のデータ格納部２０４へデータ転送した後、情報端末装置２００の制御部２０３が伸張して表示部２０１へ表示していた。
【００３３】
このように有線接続の場合、ユーザは使用するケーブルの相違により圧縮された動画像コンテンツ伝送と、非圧縮な動画像コンテンツ伝送を使い分けていた。しかし、これらの通信が無線化されたとき、特に上記のように動画像を圧縮コンテンツのまま伝送するか、伸張して非圧縮として伝送するかのように、複数の無線通信方式が選択可能な場合、ユーザは、自身がその都度、方式を選択することになる。本実施形態においては、この無線接続時において、ユーザが無線通信装置１を置く場所に依って、圧縮された動画像コンテンツ伝送と、非圧縮な動画像コンテンツ伝送とを自動的に選択することにより、ユーザが簡易に無線データ通信を行えるようにするものである。
【００３４】
図７は、実施形態に係る動画像データを伝送する手順を示すフロー図である。図７に示すように、無線通信装置１は、送信電力とアンテナの指向性を制御し、通信可能な空間を絞り込む（Ｓ０１）。無線通信装置１において、ＡＮＴ／ＰＷＲ制御部１１によって無線通信の送信電力の制御や受信した電波強度を認識可能な無線通信部１０と、複数のアンテナで構成され、電気的にそれらを制御することによってビームを形成し、送受信方向に指向性持たせることが可能なスマートアンテナによるアンテナ部１２とを内蔵する。制御部７は、無線通信部１０を通して送信電力を微弱に設定し、かつ、アンテナの指向性を制御し、ある特定の方向のみに向ける。
【００３５】
ここで、送信電力の設定については、自由空間伝搬損失Γは、距離をｄ、波長をλとすると、Γ＝（４πｄ／λ）２で計算され、６０ＧＨｚを使用するミリ波の場合、自由空間伝搬損失は１０ｍでおおよそ８８ｄＢであり、１ｍで６６ｄＢで、０．１ｍで４８ｄＢとなるため、それに基づき、通信可能範囲を絞り混むために送信出力を下げることを意味する。
【００３６】
これらのアンテナの指向性制御と送信電力の制御により、各空間における通信可能範囲を絞り混むことにより、各空間内における、データ通信を行うデータの形式や伝送コンテンツを制御する。これにより、ユーザは無線方式を意識することなく、無線通信装置１の設置場所により、無線通信装置１内に格納されている圧縮動画像コンテンツのデータ転送か、格納されているコンテンツの非圧縮の再生画像データの無線伝送かを自動的に選択、実行することを可能とする。
【００３７】
この状態で無線通信装置１が通信可能な範囲内に、表示装置１００、情報端末装置２００等の他の装置を発見した時（Ｓ０２）、無線通信装置１の無線通信部１０は圧縮動画像のデータ転送モードに設定されており（Ｓ０３）、無線接続を確立した後に（Ｓ０４）、圧縮動画コンテンツを送受信する能力の有無を、それぞれの無線通信部１０、１０４、２０６を経て能力情報交換を行う。その結果、圧縮動画像コンテンツの伝送が可能であると判断できたとき、無線通信装置１の制御部７は、データ格納部４内に格納されている圧縮動画像コンテンツを有線データ通信部６に転送し（Ｓ０５）、有線データ通信部６を介して無線通信部１０から通信相手に送信する（Ｓ０６）。
【００３８】
受信側である情報端末装置２００の無線通信部２０６は、圧縮動画像コンテンツを受信し、制御部２０３はこのコンテンツデータを伸張して表示部２０１に再生するか、もしくはデータ格納部２０４へそのまま格納する。これにより、図２及び３のような場合、ユーザが情報端末装置２００へ無線通信装置１内に格納されている動画像コンテンツの伝送を所望する際は、ある特定の場所に無線通信装置１を置くことにより、自動的に圧縮動画像コンテンツの伝送が可能となる。
【００３９】
一方、無線通信装置１が、送信電力とアンテナの指向性を絞っている一定期間の間、通信可能な範囲内に装置を発見できなかった時は（Ｓ０２）、無線通信装置１の制御部７は、圧縮動画像データをデータ転送する他の装置は無いと認識し（Ｓ０７）、無線通信部１０の送信電力を最大限にし、かつ、アンテナの指向性も絞らず探索可能なすべての方向に向けて装置の探索を開始する（Ｓ０８）。
【００４０】
この状態で無線通信装置１が通信可能な範囲内に、表示装置１００等の他の装置を発見した時（Ｓ０９）、無線通信装置１の無線通信部１０は非圧縮動画像のデータ転送モードに設定されており（Ｓ１０）、無線接続を確立した後に（Ｓ１１）、非圧縮動画像コンテンツを送受信する能力の有無を、それぞれの無線通信部１０、１０４を経て能力情報交換を行う。その結果、非圧縮動画像コンテンツの伝送が可能であると判断できたとき、無線通信装置１の制御部７は、データ格納部４内に格納されているコンテンツをデコーダ８に転送し（Ｓ１２）、デコーダ８が動画像コンテンツを伸張して、無線通信部１０から、通信相手に送信する（Ｓ１３）。
【００４１】
受信側である表示装置１００の通信制御部１０３が無線通信部１０４を制御して、非圧縮動画像コンテンツを受信し、表示部１０１に表示する。これにより、図１のような場合、ユーザが、表示装置１００へ、無線通信装置１内に格納されている圧縮動画像コンテンツを伸張した状態で伝送することを所望する際は、無線通信装置１を上述した圧縮画像伝送を行うための特定の場所以外の任意の場所に置くことにより、自動的に非圧縮画像コンテンツを伝送し、表示装置１００上で再生することが可能となる。
【００４２】
なお、無線通信装置１が、無線通信部１０の送信電力を最大限にし、かつ、アンテナの指向性も絞らず探索可能なすべての方向に向けた場合に、通信可能な他の装置を発見しなかった場合は、制御部７は通信可能な装置が無いと認識して、処理を終了する（Ｓ１４）。
【００４３】
本実施形態によれば、無線通信装置１は、無線通信装置１本体を制御する制御部７、圧縮された動画像データを格納するデータ格納部４、圧縮された動画像を伸張するデコーダ８、無線通信を行ない、無線通信装置１と表示装置１００，情報端末装置２００との間で画像伝送に関する能力を交換する無線通信部１０、無線通信を制御し、送信電力及びアンテナの指向性を制御するＡＮＴ／ＰＷＲ制御部１１により、アンテナの指向性制御と送信電力の制御し、各空間における通信可能範囲を絞り混み、空間内における端末の設置場所を識別することにより、データ通信を行うデータの形式や伝送コンテンツを制御する。これにより、ユーザは無線方式を意識することなく、無線通信装置１の設置場所により、無線通信装置１内に格納されている圧縮動画像コンテンツのデータ転送か、格納されているコンテンツの非圧縮の再生画像データの無線伝送かを自動的に選択、実行することが可能となる。
【００４４】
以上、一実施の形態について説明したが、上記実施形態に限定されるものではなく種々の変形が可能である。例えば、上記実施形態では、無線通信装置１に格納された動画像コンテンツを、圧縮されたデータとして情報端末装置２００に伝送するか、伸張して表示装置１００に伝送するかを、無線通信装置１の空間的な設置位置によって識別し、決定したが、例えば同様な方法で、無線通信装置１の空間的な設置位置によって動画像コンテンツの映像を再生するか、音声のみを再生するか等を決定することにも応用可能である。
【符号の説明】
【００４５】
１…無線通信装置、２…撮像部、３…エンコーダ、４…データ格納部、５…バス、６…有線データ通信部、７…制御部、８…デコーダ、９…有線動画像通信部、１０…無線通信部、１１…ＡＮＴ／ＰＷＲ制御部、１２…アンテナ部、１００…表示装置、１０１…表示部、１０２…有線動画像通信部、１０３…通信制御部、１０４…無線通信部、１０５…ＡＮＴ／ＰＷＲ制御部、２００…情報端末装置、２０１…表示部、２０２…入出力部、２０３…制御部、２０４…データ格納部、２０５…有線データ通信部、２０６…無線通信部、２０７…ＡＮＴ／ＰＷＲ制御部。
【図１】
2011066923.tif 000003
【図２】
2011066923.tif 000004
【図３】
2011066923.tif 000005
【図４】
2011066923.tif 000006
【図５】
2011066923.tif 000007
【図６】
2011066923.tif 000008
【図７】
2011066923.tif 000009